(57)【要約】【課題】養生ハウス内における寒中養生を適正に実施することができるコンクリートの寒中養生装置および寒中養生方法を提供する。【解決手段】打設したコンクリート１２が外気Ａと直接触れないようにコンクリート１２を覆って設置される養生ハウス１４と、養生ハウス１４内のコンクリート１２に直接触れる空気Ｂを加熱する加熱手段１６とを備えるコンクリートの寒中養生装置１０であって、養生ハウス１４内の気圧を外気圧より高くなるように加圧する加圧手段１８をさらに備えるようにする。【選択図】図１
2017141558.tif 000002
【特許請求の範囲】
【請求項１】
打設したコンクリートが外気と直接触れないように前記コンクリートを覆って設置される養生ハウスと、前記養生ハウス内の前記コンクリートに直接触れる空気を加熱する加熱手段とを備えるコンクリートの寒中養生装置であって、
前記養生ハウス内の気圧を外気圧より高くなるように加圧する加圧手段をさらに備えることを特徴とするコンクリートの寒中養生装置。
【請求項２】
打設したコンクリートが外気と直接触れないように前記コンクリートを覆って設置される養生ハウスと、前記養生ハウス内の前記コンクリートに直接触れる空気を加熱する加熱手段とを使用するコンクリートの寒中養生方法であって、
前記養生ハウス内の気圧を外気圧より高くなるように加圧し、前記養生ハウス内の気圧を外気圧より高くした状態でコンクリートを養生することを特徴とするコンクリートの寒中養生方法。
【発明の詳細な説明】
【技術分野】
【０００１】
本発明は、コンクリート打ち込み後の養生期間中に凍結するおそれのあるコンクリートを凍結しないように、かつ、所要の品質が得られるように養生するための寒中養生装置および寒中養生方法に関し、特に積雪寒冷地で冬季間に施工されるコンクリートの寒中養生装置および寒中養生方法に関するものである。
【背景技術】
【０００２】
一般に、北海道などの積雪寒冷地で冬季間にコンクリートを打設する場合は、打設しようとするコンクリートの周囲の気温を＋５℃以上に保つ寒中養生を行わなければならない。
【０００３】
通常、寒中養生は、図３に例示するように、打設したコンクリート構造物１の外部に設けた足場の外面にシートを張って外壁２を設置するとともに、上方に屋根３を設置してコンクリート構造物１を収容する養生ハウス４を構築し、この養生ハウス４の内部をヒーター５等で採暖し、コンクリート周囲の気温を＋５℃以上になるようにして行っている。
【０００４】
一方、従来の寒中コンクリートの養生技術として、例えば特許文献１〜６に示すようなものが知られている。特許文献１は、打設したコンクリートの型枠表面に、遮熱養生シートを被覆することによって、コンクリートの水和熱の放射を軽減し外気の冷気を遮断するものである。特許文献２、３は、フィルムに導電性のカーボン塗料を塗布した面状発熱体を使用し、発熱温度を制御することによって養生シート内を１０℃前後に保ちながら養生を行うものである。特許文献４は、コンクリートの露出面を吸水性高分子からなる繊維シートで覆い、高分子繊維シートが凍結する際に保温効果のある凍結層や空気層を形成してコンクリートの凍結を防止するようにしたものである。特許文献５は、コンクリート打設領域にパイプを予め配設しておき、ここに耐寒剤が添加されたコンクリートを打ち込んだ後、パイプ内に冷媒を通してコンクリートを５℃以下に冷却するものである。特許文献６は、所定配合のセメント組成物の凝結表面を、断熱材あるいは空気層を間に設け被覆材で被覆し養生するものである。
【０００５】
他方、養生ハウスを用いる工種の一つとして土壌浄化の技術が知られている。一般に、土壌浄化の技術では、土壌からの汚染空気を外部に出さないようにするために、土壌汚染範囲に養生ハウスを設置し、この養生ハウス内を負圧に保持している。
【先行技術文献】
【特許文献】
【０００６】
【特許文献１】特開２０１３−１７４０４７号公報
【特許文献２】特開２００３−６４８７４号公報
【特許文献３】特開２０００−２７４０７５号公報
【特許文献４】特開平１０−８１５７８号公報
【特許文献５】特開平９−４９３２５号公報
【特許文献６】特開平１−９６０５１号公報
【発明の概要】
【発明が解決しようとする課題】
【０００７】
ところで、上記の図３に例示したように、コンクリート構造物１を収容する養生ハウス４には通常、外壁２をなすシートの接続部や出入口などに隙間や開口がある。この隙間や開口を通じて冷たい外気が養生ハウス４内に流入すると、流入した外気によってコンクリートが局部的に冷却するおそれがある。
【０００８】
このため、隙間や開口から冷たい外気が流入することを防ぎ、養生ハウス内でコンクリートの寒中養生を適正に実施することのできる技術が求められていた。
【０００９】
本発明は、上記に鑑みてなされたものであって、養生ハウス内における寒中養生を適正に実施することができるコンクリートの寒中養生装置および寒中養生方法を提供することを目的とする。
【課題を解決するための手段】
【００１０】
上記した課題を解決し、目的を達成するために、本発明に係るコンクリートの寒中養生装置は、打設したコンクリートが外気と直接触れないように前記コンクリートを覆って設置される養生ハウスと、前記養生ハウス内の前記コンクリートに直接触れる空気を加熱する加熱手段とを備えるコンクリートの寒中養生装置であって、前記養生ハウス内の気圧を外気圧より高くなるように加圧する加圧手段をさらに備えることを特徴とする。
【００１１】
また、本発明に係るコンクリートの寒中養生方法は、打設したコンクリートが外気と直接触れないように前記コンクリートを覆って設置される養生ハウスと、前記養生ハウス内の前記コンクリートに直接触れる空気を加熱する加熱手段とを使用するコンクリートの寒中養生方法であって、前記養生ハウス内の気圧を外気圧より高くなるように加圧し、前記養生ハウス内の気圧を外気圧より高くした状態でコンクリートを養生することを特徴とする。
【発明の効果】
【００１２】
本発明に係るコンクリートの寒中養生装置によれば、打設したコンクリートが外気と直接触れないように前記コンクリートを覆って設置される養生ハウスと、前記養生ハウス内の前記コンクリートに直接触れる空気を加熱する加熱手段とを備えるコンクリートの寒中養生装置であって、前記養生ハウス内の気圧を外気圧より高くなるように加圧する加圧手段をさらに備えるので、仮に養生ハウスに接続部や出入口などによる隙間や開口がある場合であっても、加圧手段で養生ハウス内の気圧を外気圧より高くすることで、隙間や開口から外気が養生ハウス内に流入することを防止できる。これにより、養生ハウス内のコンクリートが冷たい外気に冷却されるおそれがなくなるので、養生ハウス内でコンクリートの寒中養生をより適正に実施することができるという効果を奏する。
【００１３】
また、本発明に係るコンクリートの寒中養生方法によれば、打設したコンクリートが外気と直接触れないように前記コンクリートを覆って設置される養生ハウスと、前記養生ハウス内の前記コンクリートに直接触れる空気を加熱する加熱手段とを使用するコンクリートの寒中養生方法であって、前記養生ハウス内の気圧を外気圧より高くなるように加圧し、前記養生ハウス内の気圧を外気圧より高くした状態でコンクリートを養生するので、仮に養生ハウスに接続部や出入口などによる隙間や開口がある場合であっても、加圧手段で養生ハウス内の気圧を外気圧より高くすることで、隙間や開口から外気が養生ハウス内に流入することを防止できる。これにより、養生ハウス内のコンクリートが冷たい外気に冷却されるおそれがなくなるので、養生ハウス内でコンクリートの寒中養生をより適正に実施することができるという効果を奏する。
【図面の簡単な説明】
【００１４】
【図１】図１は、本発明に係るコンクリートの寒中養生装置の実施の形態を示す側断面図である。
【図２】図２は、本発明に係るコンクリートの寒中養生方法の実施の形態を示すフローチャート図である。
【図３】図３は、従来のコンクリートの寒中養生方法の一例を示す側断面図である。
【発明を実施するための形態】
【００１５】
以下に、本発明に係るコンクリートの寒中養生装置および寒中養生方法の実施の形態を図面に基づいて詳細に説明する。なお、この実施の形態によりこの発明が限定されるものではない。
【００１６】
［コンクリートの寒中養生装置］
まず、本発明に係るコンクリートの寒中養生装置の実施の形態について説明する。
【００１７】
図１に示すように、本発明に係るコンクリートの寒中養生装置１０は、地表面ＧＬ上に打設したコンクリート構造物１２（コンクリート）が外気Ａと直接触れないようにコンクリート構造物１２を覆って設置される養生ハウス１４と、養生ハウス１４内のコンクリート構造物１２に直接触れる空気Ｂを加熱する加熱手段１６と、養生ハウス１４内の気圧を外気圧より高くなるように加圧する加圧手段１８とを備えるものである。
【００１８】
養生ハウス１４は、コンクリート構造物１２を囲繞する態様でその側方周囲の地表面ＧＬ上に立設した外壁２０と、外壁２０の上端間に架け渡された屋根２２とからなる。外壁２０は図示しない足場の側面に張られた断熱性シートにより構成され、屋根２２も同様の断熱性シートにより構成される。この断熱性シートは、加圧手段１８による加圧に耐え得る強度を有する。養生ハウス１４は、コンクリート構造物１２の打設前、打設中、打設直後のいずれかのタイミングで設置することができる。養生ハウス１４内に収容するコンクリート構造物１２の表面と、養生ハウス１４の外壁２０、屋根２２との間隔は、コンクリート構造物１２の採暖養生を適正に行うのに十分な間隔に設定することが望ましい。
【００１９】
加熱手段１６は、養生ハウス１４内のコンクリート構造物１２に直接触れる空気Ｂを加熱するためのものであり、例えばコンクリートの採暖養生に適した周知のヒーターなどを用いて構成することができる。寒中養生を適正に実施するために、コンクリート周囲の気温が例えば５℃以上になるように空気Ｂを加熱制御することが望ましい。加熱手段１６を周知のヒーターで構成する場合には、例えば養生ハウス１４内のコンクリート構造物１２の表面、または表面から所定距離だけ離れた位置に設置し、ヒーターの運転を制御可能なようにする。ヒーターの出力、設置数、具体的な設置箇所等については、養生対象のコンクリート構造物１２および養生ハウス１４の規模、外気温などに応じて適宜設定することができる。
【００２０】
加圧手段１８は、養生ハウス１４内の気圧を養生ハウス１４外の外気圧より高くなるように加圧するためのものであり、例えば室内空気の加圧に適した周知の加圧ファンやブロワー、エアーコンプレッサーなどで構成することができる。加圧手段１８を周知のブロワーで構成する場合には、例えば養生ハウス１４の外壁２０に設置し、ブロワーの運転を制御可能なようにする。ブロワーの能力、設置数、具体的な設置箇所等については、養生対象のコンクリート構造物１２および養生ハウス１４の規模、外気温などに応じて適宜設定することができる。
【００２１】
また、加圧手段１８は、加熱手段１６により加熱された空気を加圧するようにしてもよい。これにより、外気圧より高く加圧・加熱した空気Ｂが養生ハウス１４内のコンクリート構造物１２を採暖養生するとともに、養生ハウス１４内への外気Ａの流入を防止してコンクリート構造物１２の冷却を防ぐようにしてもよい。
【００２２】
上記構成の動作および作用について説明する。
養生ハウス１４内の空気Ｂを加熱手段１６で加熱制御するとともに、加圧手段１８で常に外気圧より高い状態を保つように加圧制御する。これにより、養生ハウス１４内のコンクリート構造物１２は加熱された空気Ｂにより所期の周囲温度にて採暖養生される。一方、養生ハウス１４内は外気圧より高く保持されているので、仮に養生ハウス１４に接続部や出入口などによる隙間や開口が存在し、この隙間や開口から養生ハウス１４内の加圧・加熱された空気Ｂが外部に漏れ出ることはあっても、冷たい外気Ａがこの隙間や開口から養生ハウス１４内に入り込むことはない。
【００２３】
したがって、本発明に係るコンクリートの寒中養生装置１０によれば、加圧手段１８で養生ハウス１４内の気圧を外気圧より高くすることで、隙間や開口から外気Ａが養生ハウス１４内に流入することを防止できる。これにより、養生ハウス１４内のコンクリート構造物１２が隙間や開口から流入した冷たい外気Ａに冷却されるおそれがなくなるので、養生ハウス１４内でコンクリート構造物１２の採暖養生（寒中養生）をより適正かつ効果的に実施することができる。
【００２４】
また、本発明に係るコンクリートの寒中養生装置１０は、冷たい外気Ａの流入を防止し、外気Ａによるコンクリート構造物１２の急激な冷却を防ぐことができるので、特に外気温が−２０℃以下の日が続くような厳寒地におけるコンクリートの寒中養生に有効である。
【００２５】
［コンクリートの寒中養生方法］
次に、本発明に係るコンクリートの寒中養生方法の実施の形態について説明する。本実施の形態のコンクリートの寒中養生方法は、上記のコンクリートの寒中養生装置１０の構成を使用してコンクリートの寒中養生を実施する方法である。
【００２６】
図２のフローチャートおよび図１に示すように、まず、養生ハウス１４を設置する（ステップＳ１）。次に、加熱手段１６で養生ハウス１４内を採暖する（ステップＳ２）。養生ハウス１４内が５℃以上になった後にコンクリート構造物１２を打設し（ステップＳ３）、続いて速やかに、採暖した加熱空気を加圧手段１８で外気圧より高くなるように加圧する（ステップＳ４）。このステップＳ３とＳ４の処理は順序を入れ替えて実施してもよいし、同時並行的に実施してもよい。そして、予め設定した所定の養生期間が過ぎるまで上記のステップＳ２の加熱手段１６による採暖養生と、ステップＳ４の加圧手段１８による加圧とを連続的に行うことで寒中養生を実施する。所定の養生期間を経過したら（ステップＳ５でＹｅｓ）、養生を終了する。養生終了後、養生ハウス１４、加熱手段１６、加圧手段１８は撤去することができる。
【００２７】
このように、本実施の形態のコンクリートの寒中養生方法によれば、養生ハウス１４内の気圧を外気圧より高くなるように加圧し、養生ハウス１４内の気圧を外気圧より高くした状態でコンクリート構造物１２を養生するので、仮に養生ハウス１４に接続部や出入口などによる隙間や開口がある場合であっても、加圧手段１８で養生ハウス１４内の気圧を外気圧より高くすることで、隙間や開口から外気Ａが養生ハウス１４内に流入することを防止できる。これにより、養生ハウス１４内のコンクリート構造物１２が冷たい外気Ａに冷却されるおそれがなくなるので、養生ハウス１４内でコンクリート構造物１２の寒中養生をより適正に実施することができる。
【００２８】
以上説明したように、本発明に係るコンクリートの寒中養生装置によれば、打設したコンクリートが外気と直接触れないように前記コンクリートを覆って設置される養生ハウスと、前記養生ハウス内の前記コンクリートに直接触れる空気を加熱する加熱手段とを備えるコンクリートの寒中養生装置であって、前記養生ハウス内の気圧を外気圧より高くなるように加圧する加圧手段をさらに備えるので、仮に養生ハウスに接続部や出入口などによる隙間や開口がある場合であっても、加圧手段で養生ハウス内の気圧を外気圧より高くすることで、隙間や開口から外気が養生ハウス内に流入することを防止できる。これにより、養生ハウス内のコンクリートが冷たい外気に冷却されるおそれがなくなるので、養生ハウス内でコンクリートの寒中養生をより適正に実施することができる。
【００２９】
また、本発明に係るコンクリートの寒中養生方法によれば、打設したコンクリートが外気と直接触れないように前記コンクリートを覆って設置される養生ハウスと、前記養生ハウス内の前記コンクリートに直接触れる空気を加熱する加熱手段とを使用するコンクリートの寒中養生方法であって、前記養生ハウス内の気圧を外気圧より高くなるように加圧し、前記養生ハウス内の気圧を外気圧より高くした状態でコンクリートを養生するので、仮に養生ハウスに接続部や出入口などによる隙間や開口がある場合であっても、加圧手段で養生ハウス内の気圧を外気圧より高くすることで、隙間や開口から外気が養生ハウス内に流入することを防止できる。これにより、養生ハウス内のコンクリートが冷たい外気に冷却されるおそれがなくなるので、養生ハウス内でコンクリートの寒中養生をより適正に実施することができる。
【産業上の利用可能性】
【００３０】
以上のように、本発明に係るコンクリートの寒中養生装置および寒中養生方法は、コンクリート打ち込み後の養生期間中に凍結するおそれのあるコンクリートの寒中養生に有用であり、特に、積雪寒冷地で冬季間に施工される寒中コンクリートの養生に適している。
【符号の説明】
【００３１】
１０  コンクリートの寒中養生装置
１２  コンクリート構造物（コンクリート）
１４  養生ハウス
１６  加熱手段
１８  加圧手段
２０  外壁
２２  屋根
Ａ  外気
Ｂ  空気
ＧＬ  地表面
【図１】
2017141558.tif 000003
【図２】
2017141558.tif 000004
【図３】
2017141558.tif 000005